(57)【要約】【課題】部品点数が少なくなり、簡単に組み立てることができ、設置作業が行い易いものとなり、手すり設置面が水平面であっても、傾斜面であっても設置作業が困難なものになることがなく、しかも設置時に体裁が悪くなるようなことがない手すり用支柱固定具を提供する。【解決手段】手すり設置面Ｐの鉛直方向に突設された固定ボルトＢを挿通可能とした遊び孔３を設けた第一ベース部材１と、前記固定ボルトＢを挿通可能とした止め孔４を設けた第二ベース部材２とからなり、前記第一ベース部材１の上部に形成した凸曲面１ａに、前記第二ベース部材２の下部に形成した凹曲面２ａを面接触させたものとして、これら第一ベース部材１と第二ベース部材２とを、前記固定ボルトＢに締付けナットＮで止着できるものとし、さらに前記第二ベース部材２に手すりＨの支柱５を固定できるものとしている。【選択図】図４
2010281151.tif 000002
【特許請求の範囲】
【請求項１】
手すり設置面（Ｐ）の鉛直方向に突設された固定ボルト（Ｂ）を挿通可能とした遊び孔（３）を設けた第一ベース部材（１）と、前記固定ボルト（Ｂ）を挿通可能とした止め孔（４）設けた第二ベース部材（２）とからなり、前記第一ベース部材（１）の上部に形成した凸曲面（１ａ）に、前記第二ベース部材（２）の下部に形成した凹曲面（２ａ）を面接触させたものとして、これら第一ベース部材（１）と第二ベース部材（２）とを、前記固定ボルト（Ｂ）に締付けナット（Ｎ）で止着できるものとし、さらに第二ベース部材（２）に手すり（Ｈ）の支柱（５）を固定できるものとしたことを特徴とする手すり用支柱固定具。
【請求項２】
前記第一ベース部材（１）が、手すり設置面（Ｐ）の長さ方向に湾曲した円筒状曲面を備えた略ドーム体としており、この円筒状曲面を前記凸曲面（１ａ）とし、略ドーム体の下周端部に形成したブランジ部（６）を手すり設置面（Ｐ）に接触するようにしたことを特徴とする請求項１記載の手すり用支柱固定具。
【請求項３】
前記第二ベース部材（２）が、底面を備えた略円筒体としており、この底面を前記凹曲面（２ａ）とし、略円筒体に手すり（Ｈ）の支柱（５）を差し込めるようにしたことを特徴とする請求項１記載の手すり用支柱固定具。
【請求項４】
前記遊び孔（３）が、手すり（Ｈ）の設置方向に対して長く形成した長孔にしたものであることを特徴とする請求項１記載の手すり用支柱固定具。
【請求項５】
前記固定ボルト（Ｂ）が、打ち込み式のアンカーボルトであることを特徴とする請求項１記載の手すり用支柱固定具。
【請求項６】
前記固定ボルト（Ｂ）が、接着式のアンカーボルトであることを特徴とする請求項１記載の手すり用支柱固定具。
【発明の詳細な説明】
【技術分野】
【０００１】
この発明は、手すり設置面が水平面であっても、傾斜面であっても支障なく用いることができる手すり用支柱固定具に関するものである。
【背景技術】
【０００２】
従来、この種の手すり用支柱固定具としては、例えば図６〜８に示したように、手すりＨを支持する複数本の支柱１１の基端部を、傾斜した手すり設置物Ｍに固定するようにしたものが存在する（特許文献１）。
【０００３】
この手すり用支柱固定具は、下側の部材であって手すり設置物Ｍに取り付けられる第一ベース部材１２と、上側の部材であって支柱１１の基端部が結合される第二ベース部材１３とで構成されたものとしている。
【０００４】
そして、第一ベース部材１２における手すり設置物Ｍの傾斜方向両端部は、第一ベース部材１２を手すり設置物Ｍに止めるビス１４を挿通するための孔１５がそれぞれ２個所に設けられた平坦部１６になっているとともに、これらの平坦部１６の間は、上向きに凸とした湾曲凸部１７となっている。第二ベース部材１２は、その下面が湾曲凹部１８になっており、この湾曲凹部１８は上向きに窪んでいて、曲率半径は湾曲凸部１７と同じにしている。さらに、湾曲凸部１７と湾曲凹部１８には手すり設置物Ｍの傾斜方向に長くなった長孔１９、２０が形成され、これらの長孔１９、２０には、図７に示されている通り、第二ベース部材１３の内部に挿入されているボルト２１が挿通され、下側の長孔２０から突出したボルト２１の下端は第一ベース部材１２の内部に配設されているナット２２に螺入されるとしている。
【０００５】
このように構成された手すり用支柱固定具を使用して、支柱１１を手すり設置物Ｍに立設する作業は、以下の通り行うとしている。
【０００６】
先ず、第一ベース部材１２を水平方向に対して傾斜している手すり設置物Ｍの上面の設置面Ｐに載せ、この第一ベース部材１２の前記孔１５にビス１４を挿入するとともに、ビス１４を手すり設置物Ｍ内に予め埋設されている図７のアンカー部材２３にねじ込み、これにより第一ベース部材１２を手すり設置物Ｍの所定箇所に取り付ける。次いで、第二ベース部材１３を第一ベース部材１２に対して回動させ、第二ベース部材１３を所定回動位置まで、すなわち前記設置面Ｐが傾斜している場合にも支柱１１を鉛直方向に立設するため、第二ベース部材１３が鉛直方向になる位置まで回動させた後、第二ベース部材１３の上面開口部から挿入した工具でボルト２１を回転させることにより、第一ベース部材１２に第二ベース部材１３をボルト２１、ナット２２で締結するとしている。
【先行技術文献】
【特許文献】
【０００７】
【特許文献１】特許第２９８４２３０号公報
【発明の概要】
【発明が解決しようとする課題】
【０００８】
しかしながら、上記従来の手すり用支柱固定具では、第一ベース部材１２を手すり設置物Ｍに止める部材（ビス１４）と、第一ベース部材１２と第二ベース部材１３とを締結する部材（ボルト２１、ナット２２）を別部材としているので、部品点数が増えるとともに、それぞれの部材の取付け作業を別々に行なわなければならず、設置作業が困難であるという問題点を有していた。
【０００９】
さらに、上記従来の手すり用支柱固定具では、第一ベース部材１２を手すり設置物Ｍに止める場合に、第一ベース部材１２における手すり設置物Ｍの傾斜方向両端部の平坦部１６にそれぞれ２個所に設けられた孔１５に止める部材（ビス１４）を挿通するようにしているため、前記第一ベース部材１２の平坦部１６にビス１４の頭部が４個所に露出してしまい、設置時に体裁が悪いという問題点を有していた。
【００１０】
そこで、この発明は、上記従来の問題点を解決することをその課題としており、第一ベース部材を手すり設置物に止める部材と、第一ベース部材と第二ベース部材とを締結する部材とを共通の部材にすることにより、部品点数を少なくして、簡単に組み立てることができ、さらに第一ベース部材を手すり設置物に止める部材を第一ベース部材１の外部に露出しないようにした手すり用支柱固定具を提供することを目的としてなされたものである。
【課題を解決するための手段】
【００１１】
そのため、この発明の手すり用支柱固定具は、手すり設置面Ｐの鉛直方向に突設された固定ボルトＢを挿通可能とした遊び孔３を設けた第一ベース部材１と、前記固定ボルトＢを挿通可能とした止め孔４を設けた第二ベース部材２とからなり、前記第一ベース部材１の上部に形成した凸曲面１ａに、前記第二ベース部材２の下部に形成した凹曲面２ａを面接触させたものとして、これら第一ベース部材１と第二ベース部材２とを、前記固定ボルトＢに締付けナットＮで止着できるものとし、さらに前記第二ベース部材２に手すりＨの支柱５を固定できるものとしている。
【００１２】
そして、この発明の手すり用支柱固定具において、前記第一ベース部材１は、手すり設置面Ｐの長さ方向に湾曲した円筒状曲面を備えた略ドーム体としており、この円筒状曲面を前記凸曲面１ａとし、前記略ドーム体の下周端部に形成したフランジ部６を手すり設置面Ｐに接触するようにしている。
【００１３】
さらに、この発明の手すり用支柱固定具において、前記第二ベース部材２は、底面を備えた略円筒体としており、この底面を前記凹曲面２ａとし、前記略円筒体に前記手すりＨの支柱５の下端部を差し込めるようにしている。
【００１４】
また、この発明の手すり用支柱固定具において、前記遊び孔３は、手すりＨの設置方向に対して長く形成した長孔にしている。
【００１５】
さらに、この発明の手すり用支柱固定具において、前記固定ボルトＢは、打ち込み式のアンカーボルトであったり、接着式のアンカーボルトであるものとすることができる。
【発明の効果】
【００１６】
この発明の手すり用支柱固定具は、以上に述べたように構成されているので、部品点数が少なくなり、簡単に組み立てることができ、設置作業が行い易いものとなり、手すり設置面が水平面であっても、傾斜面であっても設置作業が困難なものになることがない。
【００１７】
さらに、この発明の手すり用支柱固定具は、手すり設置面の鉛直方向に突設された固定ボルトの突出端が、第一ベース部材の内部に隠れてしまい、第一ベース部材の外部に露出しないので、設置時に体裁が悪くなるようなことがない。
【図面の簡単な説明】
【００１８】
【図１】この発明の手すり用支柱固定具の斜視図である。
【図２】この発明の手すり用支柱固定具の分解斜視図である。
【図３】この発明の手すり用支柱固定具を使用して手すりを設置した状態を示す説明図である。
【図４】この発明の手すり用支柱固定具を水平面に設置した状態を示す断面図である。
【図５】この発明の手すり用支柱固定具を傾斜面に設置した状態を示す断面図である。
【図６】従来の手すり用支柱固定具を使用して手すりを設置した状態を示す側面図である。
【図７】従来の手すり用支柱固定具を傾斜面に設置した状態を示す断面図である。
【図８】従来の手すり用支柱固定具の分解斜視図である。
【発明を実施するための形態】
【００１９】
以下、この発明の手すり用支柱固定具を実施するための形態を、図面に基づいて詳細に説明する。
【００２０】
先ず、この発明の手すり用支柱固定具は、図１、２に示したように、第一ベース部材１と第二ベース部材２とからなる。
【００２１】
第一ベース部材１は、手すり設置面Ｐの鉛直方向に突設された固定ボルトＢを突出端側から挿通可能とした遊び孔３を設けたものとしている。この遊び孔３は、手すり設置面Ｐの傾斜角度に応じて、前記固定ボルトＢの挿通位置を変位させることができるようにしたものであり、前記第一ベース部材１の上部に形成した凸曲面１ａに設けたものとしている。なお、前記遊び孔３は、手すり設置面Ｐの傾斜角度に応じて、任意の大きさに設定したものとしている。
【００２２】
第二ベース部材２は、前記固定ボルトＢを突出端側から挿通可能とした止め孔４を設けたものとしている。この止め孔４は、前記固定ボルトＢの挿通位置をその位置で位置決めしておくことができるようにしたものであり、前記第二ベース部材２の下部に形成した凹曲面２ａに設けたものとしている。なお、前記止め孔４は、前記固定ボルトＢの太さより少し大きめに設定したものとしている。
【００２３】
そして、この発明の手すり用支柱固定具は、前記第一ベース部材１の上部に形成した凸曲面１ａに、前記第二ベース部材２の下部に形成した凹曲面２ａを面接触させたものとして、これら第一ベース部材１と第二ベース部材２とを、前記固定ボルトＢの突出端側に締付けナットＮで止着できるものとしている。さらに、前記第二ベース部材２には、手すり設置面Ｐに設置する手すりＨの支柱５を固定できるものとしている。
【００２４】
前記第一ベース部材１は、手すり設置面Ｐの長さ方向に湾曲した円筒状曲面を備えた略ドーム体としており、この円筒状曲面を前記凸曲面１ａとしており、前記略ドーム体の下周端部に形成したフランジ部６を手すり設置面Ｐに接触するようにしている。
【００２５】
前記第二ベース部材２は、底面を備えた略円筒体としており、この底面を前記第一ベース部材１の凸曲面１ａと同じ曲率半径としたものとして前記凹曲面２ａとしており、前記略円筒体の円筒部２ｂに前記手すりＨの支柱５の下端部を差し込めるようにしている。この支柱５は、前記円筒部２ｂの内径より少し小さくした外径を有する円柱体または円筒体としており、その円筒部２ｂに設けたネジ孔７にねじ込まれた六角穴付き虫ネジ８を締め付けることにより、第二ベース部材２に固定される。なお、前記ネジ孔７は、円筒部２ｂの上下の円周上において複数、設けたものとしており、これらのネジ孔７に六角穴付き虫ネジ８がねじ込まれているので、前記手すりＨの支柱５の下端部を遊びのある状態で前記円筒部２ｂに差し込めるようにしておけば、前記複数のネジ孔７にねじ込まれたそれぞれの六角穴付き虫ネジ８の締め付け具合を微調整することにより、前記支柱５の鉛直度を微調整することができるものとなる。
【００２６】
さらに、前記第二ベース部材２は、略円筒体の下周端部にフランジ部９を形成したものとし、このフランジ部９の底面も、前記第一ベース部材１の凸曲面１ａと同じ曲率半径としたものとして前記凹曲面２ａとすれば、この凹曲面２ａの面積が広くなるので、第一ベース部材１の凸曲面１ａとの接触面が広くなり、両部材の接触が安定したものとなる。
【００２７】
前記第一ベース部材１の遊び孔３は、前記したように固定ボルトＢの挿通位置を変位させることができるようにするため、手すり設置面Ｐの傾斜角度に応じて、単に大きくした孔にしてもよいが、手すりＨの設置方向に対して長く形成した長孔にすれば、手すり設置面Ｐの傾斜角度に応じて、前記固定ボルトＢの挿通位置を変位させることができるものとなる。この長孔とした遊び孔３は、前記略ドーム体の中心部から下周端部のフランジ部１ｃかけて形成したものとしている。なお、前記遊び孔３は、単に大きくした孔にするよりも、長孔にするほうが、開口面積を狭くすることができるため、第一ベース部材１が強度性に優れたものとなる。
【００２８】
前記固定ボルトＢは、図示したものでは、ホークアンカーボルト等の打ち込み式のアンカーボルトとしているが、ケミカルアンカー等の接着式のアンカーボルトや、その他、各種の形式のものであってもよい。この固定ボルトＢは、上端部のネジ溝１０に平ワッシャーＷｆとスプリングワッシャーＷｓを介在させてねじ込んだ締めナットＮを締め付け、第二ベース部材２の止め孔４の周囲を前記平ワッシャーＷｆで押圧することにより、前記第一ベース部材１と第二ベース部材２とを、手すり設置面Ｐに押圧して固定するようにしている。
【００２９】
以上のように構成したこの発明の手すり用支柱固定具は、例えば図３に示したように、水平面と傾斜面とが連続する手すり設置面Ｐにおいては、次のようにして使用する。
【００３０】
先ず、この発明の手すり用支柱固定具は、前記手すり設置面Ｐの適宜個所において、手すり設置面Ｐから鉛直方向に突設された固定ボルトＢを第一ベース部材１の遊び孔３に挿通して、この固定ボルトＢの突出端側を第一ベース部材１に上方に突出させ、第一ベース部材１のフランジ部６を手すり設置面Ｐに接触させる。
【００３１】
次に、前記第一ベース部材１に第二ベース部材２を重ね合わせるようにして、これらの凸曲面１ａと凹曲面２ａを面接触させ、第二ベース部材２の止め孔４に前記固定ボルトＢの突出端側を挿通して、この突出端側を第二ベース部材１に上方に突出させる。この場合、手すり設置面Ｐが水平面であっても傾斜面であっても、第二ベース部材２は鉛直方向から第一ベース部材１に重ね合わせるようにして、第二ベース部材２の止め孔４に前記固定ボルトＢの突出端側を挿通できるようにする。なお、手すり設置面Ｐが傾斜面である場合には、図５に示したように、第一ベース部材１の遊び孔３の内周面に前記固定ボルトＢが当たるので、この第一ベース部材１が手すり設置面Ｐの下方向にずれるのを防止することができる。
【００３２】
そして、前記固定ボルトＢに平ワッシャーＷｆとスプリングワッシャーＷｓを介在させて、そのネジ溝１０に締めナットＮをねじ込む。さらに、この締めナットＮを締め付け、第二ベース部材２の止め孔４の周囲を前記平ワッシャーＷｆで押圧することにより、前記第一ベース部材１と第二ベース部材２とを固定するとともに、この固定した第一ベース部材１のフランジ部６を手すり設置面Ｐに押圧して固定する。
【００３３】
最後に、前記第二ベース部材２の円筒部２ｂに手すりＨの支柱５の下端部を差し込み、前記円筒部２ｂのネジ孔７に六角穴付き虫ネジ８をねじ込み、さらに六角穴付き虫ネジ８を締め付け、この六角穴付き虫ネジ８で前記支柱５の下端部を止着することにより、前記支柱５を手すり設置面Ｐに設置する。
【００３４】
したがって、この発明の手すり用支柱固定具は、一本の固定ボルトＢで第一ベース部材１と第二ベース部材２とを固定するとともに、これらの部材を手すり設置面Ｐに固定することができるので、部品点数が少なくなり、前記したように設置作業が行い易いものとなり、手すり設置面Ｐが水平面であっても、傾斜面であっても設置作業が困難なものになることがない。
【００３５】
さらに、この発明の手すり用支柱固定具は、手すり設置面Ｐの鉛直方向に突設された固定ボルトＢの突出端が、第一ベース部材１の内部に隠れてしまい、第一ベース部材１の外部に露出しないので、設置時に体裁が悪くなるようなことがないものとなる。
【符号の説明】
【００３６】
１  第一ベース部材
１ａ  凸曲面
２  第二ベース部材
２ａ  凹曲面
３  遊び孔
４  止め孔
５  支柱
６  フランジ部
Ｂ  固定ボルト
Ｈ  手すり
Ｎ  締付けナット
Ｐ  手すり設置面
【図１】
2010281151.tif 000003
【図２】
2010281151.tif 000004
【図３】
2010281151.tif 000005
【図４】
2010281151.tif 000006
【図５】
2010281151.tif 000007
【図６】
2010281151.tif 000008
【図７】
2010281151.tif 000009
【図８】
2010281151.tif 000010